(57)【特許請求の範囲】
【請求項１】
複数の物品を包装するためのカートンであって、
該カートンは、管状構造を形成するように互いに折り曲げ可能に接続された複数のメインパネルを備えており、
前記メインパネルは、第１の隣接パネル及び第２の隣接パネルを含み、
前記第１の隣接パネルは固定パネルに折り曲げ可能に接続され、
前記第２の隣接パネルは、前記第２の隣接パネルから切り出され、且つ前記第２の隣接パネルに折り曲げ可能に接続されている折り曲げ可能に接続されたパネルを備え、
前記折り曲げ可能に接続されたパネルは、前記固定パネルに対して前記第２の隣接パネルの位置合わせを容易にするように、且つ前記固定パネルに前記折り曲げ可能に接続されたパネルの固定を容易にするように、前記第２の隣接パネルの平面から折り曲げ可能であり、前記固定パネルは、前記折り曲げ可能に接続されたパネルのみに接着剤で固定されることを特徴とする、カートン。
【請求項２】
前記第２の隣接パネルの縁部は、前記第１の隣接パネルを前記第２の隣接パネルと位置合わせするための位置付け装置を提供することを特徴とする請求項１に記載のカートン。
【請求項３】
前記折り曲げ可能に接続されたパネルは、略台形形状であることを特徴とする請求項１又は２に記載のカートン。
【請求項４】
前記折り曲げ可能に接続されたパネルは、略六角形形状であることを特徴とする請求項１又は２に記載のカートン。
【請求項５】
前記固定パネルは、第１の折曲げ線に沿って前記第１の隣接パネルに折り曲げ可能に接続され、
前記折り曲げ可能に接続されたパネルは、第２の折曲げ線に沿って前記第２の隣接パネルに折り曲げ可能に接続され、
前記第１の折曲げ線が前記第２の折曲げ線より実質的に長いことを特徴とする請求項１〜４のいずれか一項に記載のカートン。
【請求項６】
前記折り曲げ可能に接続されたパネルは、少なくとも１つのガイド縁部が前記第２の隣接パネルによって提供されるように前記第２の隣接パネルから切り出され、前記少なくとも１つのガイド縁部は、前記第１の隣接パネルの平面に実質的に配置されることを特徴とする請求項１〜５のいずれか一項に記載のカートン。
【請求項７】
前記少なくとも１つのガイド縁部は、折曲げ線と実質的な位置合わせで配置され、前記折曲げ線に沿って、前記固定パネルは前記第１の隣接パネルに折り曲げ可能に接続されることを特徴とする請求項６に記載のカートン。
【請求項８】
前記少なくとも１つのガイド縁部は、第２の折曲げ線に対して略平行であり、前記第２の折曲げ線に沿って、前記折り曲げ可能に接続されたパネルが前記第２の隣接パネルに接続されることを特徴とする請求項６又は７に記載のカートン。
【請求項９】
前記少なくとも１つのガイド縁部は一対の離隔したガイド縁部であり、前記折り曲げ可能に接続されたパネルは前記一対の離隔したガイド縁部の間に介在されることを特徴とする請求項６〜８のいずれか一項に記載のカートン。
【請求項１０】
前記折り曲げ可能に接続されたパネルは、第２の折曲げ線に沿って前記第２の隣接パネルに接続され、前記一対の離隔したガイド縁部は、前記折り曲げ可能に接続されたパネルによって少なくとも部分的に画定される前記第２の隣接パネルの一対の分岐縁部によって前記第２の折曲げ線に接続されることを特徴とする請求項９に記載のカートン。
【請求項１１】
カートンを形成するためのブランクであって、
前記カートンは、一列に互いに折り曲げ可能に接続された複数のメインパネルを備え、それによって前記一列の対向した端部で前記メインパネルの第１のパネル及び第２のパネルを相互接続されることによって、管状構造が前記メインパネルから形成されることができ、
前記第１のパネルは、固定パネルに折り曲げ可能に接続され、前記第２のパネルは、前記第２のパネルから切り出され、且つ前記第２のパネルに折り曲げ可能に接続されている折り曲げ可能に接続されたパネルを備え、
前記折り曲げ可能に接続されたパネルは、前記固定パネルに対して前記第２のパネルの位置合わせを容易にするために、且つ前記固定パネルに対して前記折り曲げ可能に接続されたパネルの固定を容易にするために、前記第２のパネルの平面から折り曲げ可能であり、前記固定パネルは、前記折り曲げ可能に接続されたパネルのみに接着剤で固定されることを特徴とするブランク。
【請求項１２】
前記折り曲げ可能に接続されたパネルは、略台形形状であることを特徴とする請求項１１に記載のブランク。
【請求項１３】
前記折り曲げ可能に接続されたパネルは、略六角形形状であることを特徴とする請求項１１に記載のブランク。
【請求項１４】
パッケージを形成するために、一群の１つ又は複数の物品に関してカートンを組み立てる方法であって、前記カートンがブランクから形成され、前記ブランクは、記載された順序で互いに折り曲げ可能に接続された固定パネル、第１の側部壁、上部パネル、第２の側部壁、及び底部壁を備え、前記底部パネルが前記底部パネルから切り出され、且つ前記底部パネルに折り曲げ可能に接続されている折り曲げ可能に接続されたパネルを含み、
前記方法は、
前記上部パネルが前記一群の１つ又は複数の物品の対向した端部表面のうち一方と接触した状態になるように、前記一群の１つ又は複数の物品に一致して前記ブランクを提供するステップと、
前記ブランクが略Ｕ字状の構造に形成されるように、前記一群の１つ又は複数の物品の対向した側部に関して前記第１の側部壁及び前記第２の側部壁を折り曲げるステップと、  前記一群の１つ又は複数の物品の対向した端部表面のうちの他方に関して前記固定パネルを折り曲げるステップと、
前記底部パネルの平面から前記折り曲げ可能に接続されたパネルを折り曲げるステップと、
前記一群の１つ又は複数の物品の前記他方の対向した端部表面に関して前記底部パネルを折り曲げるステップと、
前記底部パネルを前記固定パネルに対して位置合わせするステップと、
前記折り曲げ可能に接続されたパネルが前記固定パネルに固定されるように、前記固定パネル又は前記折り曲げ可能に接続されたパネルを調整するステップと、
前記固定パネルを前記折り曲げ可能に接続されたパネルのみに接着剤で固定するステップと、
前記固定パネルと接触した状態になるように、前記底部パネルの平面に戻るように前記折り曲げ可能に接続されたパネルを折り曲げ、それによって前記ブランクのメインパネルを管状構造で固定するステップと、
を備えることを特徴とするカートンを組み立てる方法。
【請求項１５】
前記固定パネル又は前記折り曲げ可能に接続されたパネルを調整するステップは、前記固定パネル又は前記折り曲げ可能に接続されたパネルに対する接着材料の塗布を備えることを特徴とする請求項１４に記載のカートンを組み立てる方法。
【請求項１６】
前記底部パネルの平面から前記折り曲げ可能に接続されたパネルの折り曲げは、ウィンドウを生成し、該ウィンドウを通じて接着剤が前記固定パネルに塗布されることができることを特徴とする請求項１４又は１５に記載のカートンを組み立てる方法。
【請求項１７】
パッケージを形成するために、一群の１つ又は複数の物品に関してカートンを組み立てる方法であって、前記カートンがブランクから形成され、前記ブランクは、記載された順序で互いに折り曲げ可能に接続された固定パネル、第１の側部壁、上部パネル、第２の側部壁、及び底部パネルを備え、前記底部パネルは、前記底部パネルから切り出され、且つ前記底部パネルに折り曲げ可能に接続されている前記折り曲げ可能に接続されたパネルを含み、
前記方法は
前記第１の側部壁に対して略垂直になるように、前記底部パネルを折り曲げるステップと、
前記底部パネルの平面から前記折り曲げ可能に接続されたパネルを折り曲げるステップと、
前記底部パネルに前記一群の１つ又は複数の物品を載置するステップと、
前記一群の１つ又は複数の物品に関して前記上部パネル及び前記第２の側部壁を折り曲げるステップと、
前記第２の側壁部に対して前記固定パネルを折り曲げるステップと、
前記底部パネルを前記固定パネルに対して位置合わせするステップと、
前記折り曲げ可能に接続されたパネルが前記固定パネルに固定されるように、前記固定パネル又は前記折り曲げ可能に接続されたパネルを調整するステップと、
前記折り曲げ可能に接続されたパネルが前記固定パネルと接触状態になるように、前記底部パネルの平面に戻るように前記折り曲げ可能に接続されたパネルを折り曲げるステップと、
を備え、それによって、前記ブランクのメインパネルが管状構造に形成され、接着剤は、前記折り曲げ可能に接続されたパネルが固定フラップのみに固定されるように塗布されることを特徴とするカートンを組み立てる方法。
【請求項１８】
前記折り曲げ可能に接続されたパネルは、前記折り曲げ可能に接続されたパネルに対する接着剤の塗布のために、略垂直位置に折り曲げられることを特徴とする請求項１７に記載のカートンを組み立てる方法。
【発明の詳細な説明】
【技術分野】
【０００１】
本願発明は、１つ又は複数の物品を包装するためのカートン、前記カートンを形成するためのブランク、及び前記カートンブランクから前記カートンを組み立てる方法に関する。より具体的には、限定はされないが、本願発明は、一群の１つ又は複数の物品に関して管状構造で、カートンブランクを固定する方法に関する。
【背景技術】
【０００２】
包装の分野において、複数の主要な製品容器を備えているパッケージを消費者に提供することは、多くの場合必要とされる。そのような「マルチパック」は、配送のために、及び流通のために、及び情報及び広告の表示のために好ましい。そのよう「マルチパック」はまた、複数の主要な製品容器を輸送し、且つ格納するための便利な手段を消費者に提供する。
【０００３】
巻き付け型カートンは、マルチパックを提供するためのパッケージスタイルの１つとして周知である。従来の巻き付け型カートンには、カートンの２つの隣接パネルを互いに固定するための機械式ロック又は複数の機械式ロックが提供される。そのような複数の機械式ロックはまた、隣接パネルを互いと位置合わせするために便利であり、それによって、組み立てられたカートンは適切に、複数の物品を保持することができる。接着剤は、そのような隣接パネルを固定するために機械式ロックに置き換わることができる。隣接パネルが接着材で固定されるそれらの巻き付け型カートンは、接着剤で固定された巻き付け型カートンが、複数の機械式ロックを有する巻き付け型カートンより様々な寸法の物品に対する高い許容範囲を有する点である意味でフレキシブルである。接着剤を使用して組み立てられた巻き付け型カートンは、それらがロックを処理するための固定装置を必要としないので、複雑ではない構成の包装装置を必要とする。接着剤を使用して組み立てられた巻き付け型カートンの１つの欠点は、２つの隣接パネルの位置合わせが必ずしも容易であるとは限らないことである。
【発明の概要】
【発明が解決しようとする課題】
【０００４】
それ故に、必要とされるものは、２つの隣接パネルが接着剤で互いに固定されると同時に、２つの隣接パネルの位置合わせを容易にするための手段を有するカートン、及びカートンブランクである。
【課題を解決するための手段】
【０００５】
本願発明の第１の実施形態によれば、複数の物品を包装するためのカートンであって、前記カートンは管状構造を形成するように互いに折り曲げ可能に接続された複数のメインパネルを備えており、前記メインパネルは、第１の隣接パネル及び第２の隣接パネルを含み、前記第１の隣接パネルは固定パネルに折り曲げ可能に接続され、前記第２の隣接パネルは、前記第２の隣接パネルから切り出され、且つ前記第２の隣接パネルに折り曲げ可能に接続されている折り曲げ可能に接続されたパネルを備え、前記折り曲げ可能に接続されたパネルは、前記固定パネルに対して前記第２のパネルの位置合わせを容易にするように、且つ前記固定パネルに前記折り曲げ可能に接続されたパネルの固定を容易にするように、前記第２の隣接パネルの平面から折り曲げ可能であり、接着剤が前記固定パネルに塗布され、それによって直立状態でカートンを固定する、カートンは、提供される。
【０００６】
好ましくは、前記固定パネルは、前記折り曲げ可能に接続されたパネルのみに接着剤で固定される。好ましくは、前記第２の隣接パネルの縁部は、前記第１の隣接パネルを前記第２の隣接パネルと位置合わせするための位置付け装置を提供する。
【０００７】
好ましくは、前記折り曲げ可能に接続されたパネルは、略台形形状である。代替的には、前記折り曲げ可能に接続されたパネルは、略六角形形状である。
【０００８】
好ましくは、前記カートンは、前記管状構造の各端部を閉鎖するための複数のメインパネルのそれぞれの対向した端部に折り曲げ可能に接続された一連の端部閉鎖パネルを備える。
【０００９】
好ましくは、前記カートンは、前記管状構造の各端部で、一対の対向する端部閉鎖パネルのそれぞれに折り曲げ可能に接続されたビーム形成パネルを備える。
【００１０】
好ましくは、前記固定パネルは、第１の折曲げ線に沿って前記第１の隣接パネルに折り曲げ可能に接続され、前記折り曲げ可能に接続されたパネルは、第２の折曲げ線に沿って前記第２の隣接パネルに折り曲げ可能に接続され、前記第１の折曲げ線が前記第２の折曲げ線より実質的に長い。
【００１１】
好ましくは、前記折り曲げ可能に接続されたパネルは、少なくとも１つのガイド縁部が前記第２の隣接パネルによって提供されるように切り出され、前記少なくとも１つのガイド縁部は、前記第１の隣接パネルの平面に実質的に配置される。
【００１２】
好ましくは、前記少なくとも１つのガイド縁部は、折曲げ線と実質的な位置合わせで配置され、前記折曲げ線に沿って、前記固定パネルは前記第１の隣接パネルに折り曲げ可能に接続される。
【００１３】
好ましくは、前記少なくとも１つのガイド縁部は、折曲げ線に対して略平行であり、前記折曲げ線に沿って、前記折り曲げ可能に接続されたパネルが前記第２の隣接パネルに接続される。
【００１４】
好ましくは、前記少なくとも１つのガイド縁部は一対の離隔したガイド縁部であり、前記折り曲げ可能に接続されたパネルは前記一対の離隔したガイド縁部の間に介在される。
【００１５】
好ましくは、前記折り曲げ可能に接続されたパネルは、折曲げ線に沿って前記第２の隣接パネルに接続され、前記一対の離隔したガイド縁部は、前記折り曲げ可能に接続されたパネルによって少なくとも部分的に画定される前記第２の隣接パネルの一対の分岐縁部（ｄｉｖｅｒｇｅｎｔ  ｅｄｇｅｓ）によって前記折曲げ線に接続される。
【００１６】
本願発明の第２の態様によれば、カートンを形成するためのブランクであって、前記カートンは、配置されたカートンで管状構造を形成するために、互いに折り曲げ可能に接続された上部パネル、第１の側部壁、第２の側部壁、及び底部パネルを形成するための複数のメインパネルを備え、前記複数のメインパネルの第１のパネルは、固定パネルに折り曲げ可能に接続され、前記複数のメインパネルの第２のパネルは、第２のパネルから切り出された折り曲げ可能に接続されたパネルを備え、前記折り曲げ可能に接続されたパネルは、前記固定パネルに対して前記第２のパネルの位置合わせを容易にするために、且つ前記固定パネルに前記折り曲げ可能に接続されたパネルを固定することを容易にするために、前記第２のパネルの平面から折り曲げ可能に接続されている、ブランクが提供される。
【００１７】
好ましくは、前記折り曲げ可能に接続されたパネルは、略台形形状である。代替的には、前記折り曲げ可能に接続されたパネルは、略六角形形状である。
【００１８】
好ましくは、前記ブランクは、前記管状構造の各端部を閉鎖するための前記複数のメインパネルのそれぞれの対向した端部に折り曲げ可能に接続された一連の端部閉鎖パネルを備える。
【００１９】
好ましくは、前記ブランクは、前記第１の側部壁及び前記第２の側部壁を形成するための複数のパネルに折り曲げ可能に接続された前記端部閉鎖パネルのそれぞれに折り曲げ可能に接続されたビーム形成パネルを備える。
【００２０】
本願発明の第３の態様によれば、パケージを形成するために、一群の１つ又は複数の物品に関してカートンを組み立てるための方法であって、前記方法は、前記上部パネルが前記一群の１つ又は複数の物品の上方表面と接触した状態になるように、前記一群の１つ又は複数の物品に上記のブランクを載置するステップと、前記一群の１つ又は複数の物品の側部に関して第１の側部壁及び第２の側部壁を略逆Ｕ字状の構造に折り曲げるステップと、前記一群の１つ又は複数の物品のベースに関して前記固定パネルを折り曲げるステップと、前記底部パネルの平面から前記折り曲げ可能に接続されたパネルを折り曲げるステップと、
前記一群の１つ又は複数の物品のベースに関して前記底部パネルを折り曲げるステップと、前記固定パネルに対して前記底部パネルを位置合わせするステップと、前記折り曲げ可能に接続されたパネルが前記固定パネルに固定されるように、前記固定パネル又は前記折り曲げ可能に接続されたパネルを調整するステップと、前記固定パネルと接触した状態になるように、前記底部パネルの平面に戻るように前記折り曲げ可能に接続されたパネルを折り曲げ、それによって、前記ブランクの前記メインパネルを管状構造で固定するステップと、を備える、カートンを組み立てる方法が提供される。
【００２１】
好ましくは、固定パネルを調整するプロセスは、前記固定パネル又は前記折り曲げ可能に接続されたパネルに対する接着材料の塗布を備える。
【００２２】
代替的には、第１の側部壁及び第２の側部壁を略逆Ｕ字状構造に折り曲げるプロセスは、一群の１つ又は複数の物品にブランクを載置するステップより前に実行される。
【００２３】
好ましくは、管状構造の開口端部は、端部閉鎖パネルが折り曲げ可能に接続された前記複数のメインパネルのうちのそれぞれ１つと略垂直になるように、端部閉鎖パネルを折り曲げることによって、少なくとも部分的に閉鎖される。
【００２４】
好ましくは、ビーム形成パネルは、各端部閉鎖パネルと略垂直になるように折り曲げられ、ビーム形成パネルが各端部閉鎖パネルに折り曲げ可能に接続され、それによって、前記各端部閉鎖パネルが管状構造の開口端部に関して折り曲げられる場合に、前記ビーム形成パネルがパッケージの各端部で一対の隣接する物品の間に挿入される。
【００２５】
好ましくは、前記底部パネルの平面から前記折り曲げ可能に接続されたパネルを折り曲げることは、ウィンドウを生成し、該ウィンドウを通じて接着剤が前記折り曲げ可能に接続されたパネルに塗布されることができる。
【００２６】
本願発明の第４の態様によれば、パッケージを形成するために、一群の１つ又は複数の物品に関してカートンを組み立てる方法であって、前記カートンがブランクから形成され、前記ブランクは、記載された順序で互いに折り曲げ可能に接続された固定パネル、第１の側部壁、上部パネル、第２の側部壁、及び底部パネルを備え、前記底部パネルは、前記底部パネルから切り出され、且つ前記底部パネルに折り曲げ可能に接続されている前記折り曲げ可能に接続されたパネルを含み、前記方法は、前記第１の側部壁に対して略垂直になるように、前記底部パネルを折り曲げるステップと、前記底部パネルの平面から前記折り曲げ可能に接続されたパネルを折り曲げるステップと、前記ブランクのベースパネルに前記一群の１つ又は複数の物品を載置するステップと、前記一群の１つ又は複数の物品に関して前記上部パネル及び前記第２の側部壁を折り曲げるステップと、前記一群の１つ又は複数の物品のベースに関して前記固定パネルを折り曲げるステップと、前記底部パネルを前記固定パネルに対して位置合わせするステップと、前記折り曲げ可能に接続されたパネルが前記固定パネルに固定されるように、前記固定パネル又は前記折り曲げ可能に接続されたパネルを調整するステップと、前記固定パネルと接触状態になるように、前記底部パネルの平面に戻るように前記折り曲げ可能に接続されたパネルを折り曲げ、それによって管状構造で前記ブランクのメインパネルを固定するステップと、を備えている、カートンを組み立てる方法が提供される。
【００２７】
好ましくは、前記折り曲げ可能に接続されたパネルは、前記折り曲げ可能に接続されたパネルに対する接着剤の塗布のために、略垂直方向に折り曲げられる。
【００２８】
好ましくは、接着剤は、折り曲げ可能に接続されたパネルが接着フラップのみに固定されるように塗布される。
【００２９】
本願発明の例示的な実施形態は、添付した図面を参照して次に記載されるであろう。
【図面の簡単な説明】
【００３０】
【図１】本願発明の第１の実施形態によるカートンを形成するためのブランクの平面図である。
【図２】カートンへの図１のブランクの組み立ての第１段階の下から見た斜視図である。
【図３】カートンへの図１のブランクの組み立ての第２段階の下から見た斜視図である。
【図４】カートンへの図１のブランクの組み立ての第３段階の下から見た斜視図である。
【図５Ａ】カートンへの図１のブランクの組み立ての第４段階の下から見た斜視図である。
【図５Ｂ】カートンへの図１のブランクの組み立ての第５段階の下から見た斜視図である。
【図６Ａ】カートンへの図１のブランクの組み立ての第６段階の下から見た斜視図である。
【図６Ｂ】カートンへの図１のブランクの組み立ての第７段階の下から見た斜視図である。
【図７】本願発明の第２の実施形態によるカートンを形成するためのブランクの平面図である。
【図８】本願発明の第３の実施形態によるカートンを形成するためのブランクの平面図である。
【図９Ａ】本願発明の第３の実施形態によるカートンの組み立ての代替的な方法の第１段階の斜視図である。
【図９Ｂ】本願発明の第３の実施形態によるカートンの組み立ての代替的な方法の第２段階の斜視図である。
【図９Ｃ】本願発明の第３の実施形態によるカートンの組み立ての代替的な方法の第３段階の斜視図である。
【図９Ｄ】本願発明の第３の実施形態によるカートンの組み立ての代替的な方法の第４段階の斜視図である。
【図９Ｅ】本願発明の第３の実施形態によるカートンの組み立ての代替的な方法の第５段階の斜視図である。
【発明を実施するための形態】
【００３１】
図１を参照すると、カートンを形成するためのブランク１の平面図が示される。ブランク１はそれぞれ、折曲げ線１３、１５、１７によって、互いに直線的に（ｉｎ  ａ  ｌｉｎｅａｒ  ｓｅｒｉｅｓ）折り曲げ可能に接続された底部パネル３０、第１の側部壁５０、上部パネル４０、及び第２の側部壁６０を形成するための一連のメインパネル３０、４０、５０、６０を備える。
【００３２】
ブランク１はまた、それぞれ、折曲げ線２１及び３５によって底部パネル３０の対向した端部縁部に折り曲げ可能に接続された一対の底部端部閉鎖フラップ３２、３４を備える。同様に、一対の上部端部閉鎖フラップ４２、４４は、それぞれ、折曲げ線２５及び３１によって上部パネル４０の対向した端部縁部に折り曲げ可能に接続されて設けられる。
【００３３】
第１の側部端部フラップ５２、５４は、第１の側部壁５０に、それぞれ折曲げ線２３及び３３によって、対向した端部縁部に沿って折り曲げ可能に接続される。第１の側部端部フラップ５２は、折曲げ線２３に対向している端部縁部に沿って折曲げ線３９によって第１のビーム形成パネル５３（ｆｉｒｓｔ  ｂｅａｍ  ｆｏｒｍｉｎｇ  ｐａｎｅｌ）に折り曲げ可能に接続される。第１の側部端部フラップ５４は、折曲げ線３３に対向している端部縁部に沿って折曲げ線３７によって第２のビーム形成パネル５５に折り曲げ可能に接続される。
【００３４】
第２の側壁端部フラップ６２、６４は、第２の側部壁６０に、それぞれ折曲げ線２７及び２９によって、対向した端部縁部に沿って折り曲げ可能に接続される。第２の側部端部フラップ６２は、折曲げ線２７に対向した端部縁部に沿って折曲げ線４１によって第３のビーム形成パネル６３に折り曲げ可能に接続される。第２の側部端部フラップ６４は、折曲げ線２９に対向した端部縁部に沿って折曲げ線４３によって第４のビーム形成パネル６５に折り曲げ可能に接続される。
【００３５】
底部パネル３０は、開口３１を備える。開口３１は、ブランク１から形成されたカートンにおいて包装された物品Ｃのベース（図６Ｂ）を可視可能に検査するための手段を提供する。底部パネル３０はまた、底部パネル３０から切り出された折り曲げ可能に接続されたパネル１０を備える。折り曲げ可能に接続されたパネル１０は、折曲げ線１１によって一部において画定され、且つ折曲げ線１１の対向した端部から互いから分岐的に延在している切断線９Ａ及び９Ｂによって一部において画定されている。好ましくは、折り曲げ可能に接続されたパネル１０は、略台形形状を有する。必要に応じて、折り曲げ可能に接続されたパネル１０は、切断線９Ａ及び９Ｂのそれぞれの端部に隣接して配置された凹部を備え、それによってガイド縁部７２、７４は、底部パネル３０によって提供される。折り曲げ可能に接続されたパネル１０は、ガイド縁部７２、７４が底部パネル３０によって提供されるように、底部パネル３０から切り出される。カートンが組み立てられる場合に、ガイド縁部７２、７４は、第２の側部壁６０の平面において実質的に配置され、及び同様に折曲げ線１９と実質的に位置合わせされ、該折曲げ線１９に沿って第２の固定パネル２０が第２の側部壁６０に折り曲げ可能に接続される。ガイド縁部７２、７４は、組み立て中にカートンのパネル２０、３０（及び／又はパネル３０、６０）の位置合わせを容易にするために、位置付け装置として使用される。
【００３６】
ガイド縁部７２、７４は、折曲げ線１１に略平行であり、その折曲げ線１１に沿って、前記折り曲げ可能に接続されたパネル１０は、底部パネル３０に接続される。
【００３７】
本願発明の一の実施形態において、ガイド縁部７２、７４は、一対の離隔したガイド縁部７２、７４であり、前記折り曲げ可能に接続されたパネル１０は、前記一対の離隔したガイド縁部７２、７４の間に介在される。
【００３８】
折り曲げ可能に接続されたパネル１０は、折曲げ線１１に沿って底部パネル３０に接続されており、一対の離隔したガイド縁部７２、７４は、底部パネル３０における切断線９Ａ及び９Ｂによって形成された一対の分岐線によって、折曲げ線１１に接続されている。
【００３９】
固定パネル２０は、底部パネル３０に第２の側部壁６０を固定するために提供される。第２の側部壁６０は、第２の側部壁６０を上部パネル４０に折り曲げ可能に接続する折曲げ線１７に対向した折曲げ線１９によって固定パネル２０に折り曲げ可能に接続される。
【００４０】
例示的な実施形態において、接着剤フラップ又は固定パネル２０が折曲げ線１９に沿って第２の側部壁６０に折り曲げ可能に接続され、且つ折り曲げ可能に接続されたパネル１０が折曲げ線１１に沿って底部パネル３０に折り曲げ可能に接続されることは、留意されるべきである。折曲げ線１９は、その長さにおいて折曲げ線１１より実質的に長い。
【００４１】
図２〜図６Ｂに図示されるように、カートンの組み立てを見ると、カートンが、直線装置（ｓｔｒａｉｇｈｔ  ｌｉｎｅ  ｍａｃｈｉｎｅ）において実施されることができる一連の順次的な折り曲げ動作によって折り曲げられることができ、それによって、カートンがその組み立てを完成するために回転され、又は反転される必要がないことは、想像される。折り曲げプロセスは、以下に記載される説明に制限されず、且つ特定の製造要件に従って変更されることができる。
【００４２】
図２において、ブランク１は、折り曲げられていない平坦な形態で、例えば飲料缶又は飲料ボトルなどの一群の物品Ｃに載置される。
【００４３】
ブランク１が一群の物品に載置される（又は一群の物品Ｃがブランク１に載置される）と、第２の側部壁６０は、上部パネル４０と略垂直な関係になるように折曲げ線１７に関して折り曲げられる。固定パネル２０は次いで、図３に示されるように、第２の側部壁６０と垂直関係になるように、一群の物品Ｃのベースに関して折り曲げられる。
【００４４】
第１の側部壁５０は次いで、図４に示されるように、上部パネル４０と略垂直関係になるように折曲げ線１５に関して折り曲げられる。
【００４５】
代替的な実施形態において、ブランクが略Ｕ字状の構成で一群の物品に提供され、該略Ｕ字状の構成において、第１の側部壁５０及び第２の側部壁６０がそれぞれ、ブランク１が一群の物品Ｃに載置される前に、上部パネル４０と略垂直関係になるように折曲げ線１５及び１７に関して折り曲げられることは、想像される。
【００４６】
底部パネル３０は次いで、一群の物品Ｃのベースに向けて折曲げ線１３に関して折り曲げられる。これは、底部パネル３０の平面から折曲げ線１１に関して折り曲げ可能に接続されたパネル１０を折り曲げることより前に、より後で、又は同時に同時に実施される。折り曲げ可能に接続されたパネル１０は、固定フラップ２０の一部を露出するように、平面から折り曲げられ、図５Ａ及び図５Ｂに示されるように、固定パネル２０に対する底部パネル３０の位置合わせを容易にする。この方法において、底部パネル３０の平面から折り曲げる場合に、折り曲げ可能に接続されたパネル１０は、ウィンドウを作り出し、該ウィンドウを通じて、接着剤がウィンドウによって露出された固定パネル２０の領域に塗布される。
【００４７】
接着剤又は他の接着材料Ｇは次いで、図６Ａに図示されるように、固定パネル２０に塗布される。代替的には、接着剤は、折り曲げ可能に接続されたパネルに塗布され、好ましくは、接着剤は、折り曲げ可能に接続されたパネル１０のみに塗布される。折り曲げ可能に接続されたパネル１０は次いで、底部パネル３０と平面的な関係に戻るように折曲げ線１１に関して折り曲げられる。圧縮力は、折り曲げ可能に接続されたパネル１０を固定パネル２０に固定するため必要に応じて作用されることができ、それ故に、管状構造２は、一群の物品Ｃに関して形成される。
【００４８】
カートンの組み立てはそれぞれ、第１の側部端部フラップ５２、５４及び第２の側部端部フラップ６２、６４と略垂直になるように第１のビーム形成パネル５３、第２のビーム形成パネル５５、第３のビーム形成パネル６３、第４のビーム形成パネル６５を折り曲げることによって完成される。ビーム形成パネル５３、５５、６３、６５は次いで、第１の側部壁５０又は第２の側部壁６０のそれぞれと略垂直になるように、第１の側部端部フラップ５２、５４及び第２の側部端部フラップ６２、６４を折り曲げることによって、一群の物品Ｃにおける一対の最も外側の物品Ｃの間に挿入され、該第１の側部壁５０又は該第２の側部壁６０にビーム形成パネル５３、５５、６３、６５が折り曲げ可能に接続されている。ビーム形成パネル５３、５５、６３、６５は、カートンに追加の強度を提供する。代替的な実施形態において、ビーム形成パネル５３、５５、６３、６５が省略される場合があることは、想像される。
【００４９】
上部端部閉鎖フラップ４２、４４及び底部端部閉鎖フラップ３２、３４は次いで折り曲げられ、カートンの対向した端部を閉鎖した状態に維持するように、側部端部フラップ５２、６２、５４、６４の外側表面に接着剤を塗布される。
【００５０】
図７及び図６を続いて参照すると、本願発明の代替的な実施形態は、接頭部「１」及び「２」を前に追加した状態で、可能であれば、同様の参照符号が同様の部分のために使用されるように図示され、それ故に図１〜図６Ｂに図示された実施形態との差異のみがより詳細に記載されるであろう。
【００５１】
図７は、折り曲げ可能に接続されたパネル１１０が台形形状であり、凹部１２（図１）は省略されているブランク１０１を図示する。開口１３１の位置が変更されることに留意されるべきである。
【００５２】
図８は、ビーム形成パネルが省略されているブランク２０１を図示する。底部パネルには、２つの開口２３１が設けられることに注意されるであろう。
【００５３】
上部端部閉鎖フラップ２４２及び２４４は、それぞれ折曲げ線２２５及び２３１に沿って折り曲げられる場合に、上部端部閉鎖フラップ２４２、２４４の中央部分２４３、２４５が対応する底部端部閉鎖フラップ２３２、２３４と重なるように、適合される。この方法において、接着剤又は他の接着材料Ｇの単一の塗布は、底部端部閉鎖フラップ２３２、２３４の全幅に亘って実質的に底部端部閉鎖フラップ２３２、２３４に塗布されることができ、それによって、底部端部閉鎖フラップ２３２、２３４が同時に、上部端部閉鎖フラップ２３４、２３４、第１の側部壁端部フラップ２４２、２５４、及び第２の側部壁端部フラップ２６２、２６４のうち各１つに固定されることができる。追加の接着剤又は接着材料Ｇは、底部パネル２３０に第２の位置で第１の側部壁端部フラップ２５２、２５４及び第２の側部壁端部フラップ２６２、２６４を固定するように、底部閉鎖端部フラップ２３２、２３４に塗布される。
【００５４】
代替的な実施形態において、カートンが図９Ａ〜図９Ｅに図示されるように、折り曲げることによって組み立てられることができることは、想像される。底部パネル２３０は、図９Ｂに示されるように、第１の側部壁２５０に対して略垂直になるように折り曲げられる。折り曲げ可能に接続されたパネル２１０は、図９Ｂに示されるように、好ましくは底部パネル２３０に対して略垂直になるように、底部パネル２３０の平面から折り曲げられる。
【００５５】
本願発明の一の実施形態において、折り曲げ可能に接続されたパネル２１０が、略垂直な方向に向けられるように折り曲げられ、それによって梱包装置の一部を形成する接着装置を使用して、接着剤がその方向において折り曲げ可能に接続されたパネル２１０に塗布されることは、想像される。
【００５６】
複数の物品Ｃは次いで、図９Ｃに図示されるように、底部パネル２３０上に供給される。上部パネル２４０及び第２の側部壁２６０は次いで、図９Ｄに示されるように、複数の物品Ｃに関して折り曲げられる。固定パネル２２０は、第２の側部壁２６０に対して垂直に折り曲げられ、底部パネル２３０の内面と接触関係で配置される。ガイド縁部２７２、２７４は、カートンの位置合わせを容易にするように位置付け装置を提供する。折曲げ線２１９は、底部パネル２３０及び第２の側部壁２６０が位置合わせ状態になるように、ガイド縁部２７２、２７４と位置合わせされる。
【００５７】
接着剤は次いで、折り曲げ可能に接続されたパネル２１０に塗布され、次いで折り曲げ可能に接続されたパネル２１０は、図０９Ｅに示されるように、固定パネル２２０と接触した状態になるように、底部パネル２３０の平面に戻るように折り曲げられる。これは、固定パネル２２０に折り曲げ可能に接続されたパネル２１０を固定し、それによって直立した状態でカートンを固定する。折り曲げ可能に接続されたパネル２１０のみが固定パネル２２０に固定されるように、接着剤又は他の接着材料が塗布されることは理解されるであろう。
【００５８】
さらなる代替的な実施形態において、底部パネル２３０の外側面と接触状態になるように、固定パネル２２０が折り曲げられることは、想像される。接着剤はついで、折り曲げ可能に接続されたパネル２１０に塗布され、該折り曲げ可能に接続されたパネル２１０は引き続いて、固定パネル２２０が折り曲げ可能に接続されたパネル２１０と底部パネル２３０との間に挟まれるように、固定パネル２２０と接触関係で折り曲げられる。記載された全ての実施形態において、ガイド縁部２７２、２７４は、底部パネル２３０と第２の側部壁２６０との位置合わせを容易にするように、位置付け手段を提供し、第２の側部壁２６０と固定パネル２２０との間の折曲げ線は、ガイド縁部２７２、２７４と位置合わせされる。この代替的な組み立ての方法が図８の実施形態を参照して記載されると同時に、図１〜図７の実施形態のいずれかで実行されることができることは、想像される。
【００５９】
折り曲げ可能に接続されたパネル２１０が底部パネル２３０の平面から折り曲げられる場合に、それが凹部を生成する。代替的な実施形態において、開口が形成されることができる。固定パネル２２０が開口又は凹部を通じて露出され、接着材又は他の接着材料が開口又は凹部を通じて固定パネル２２０に塗布されることが可能にする。
【００６０】
様々な変化が本願発明の技術的範囲内で行われ、例えばパネル及び開口の寸法及び形状が異なる寸法及び形状の物品を収容するように調整されることができることは、理解されるであろう。本願発明の他の実施形態において、より多くの数の物品が代替的なアレイ形状において包装されることができることは、想像される。代替的な実施形態において、ブランクが、ブランク又はその一部に接着特性を付与するように、熱、光、又は化学物質の適用によって、調整装置などの代替的な手段によって、ブランク又はその一部に固定されることができることはまた、想像される。図７に図示されるような好ましい実施形態において、固定パネル１２０は、その奥行き、すなわち折り曲げ可能な接続部１１９と該折り曲げ可能な接続部１１９に対向した自由縁部１５１との間の寸法「Ｄ」が、折り曲げ可能に接続されたパネル１１０の幅「Ｗ」、すなわち折り曲げ可能な接続部１１１と該折り曲げ可能な接続部１１１に対向した自由縁部１７３との間の距離より小さくなるように寸法決めされることができる。しかしながら、代替的な実施形態において、固定パネルの奥行きが折り曲げ可能に接続されたパネルの奥行きより大きくなることができることは、想像される。
【００６１】
本願で使用されるように、「上部」、「底部」、「前方」、「後方」、「端部」、「内側」、「外側」、「上方」、及び「下方」などの方向の基準がそのような方向に対する各パネルを制限することがないが、互いからそれらのパネルを識別するのに単に役立つことは、認識されるであろう。折り曲げ可能な接続部に対する任意の参照は、必要に応じて単一の折曲げ線のみを参照して解釈されるべきではない。実際には、折り曲げ可能な接続部が本願発明の技術的範囲を逸脱することなく、以下の短いスリット、折れ易い線、又は折曲げ線のうちの１つ又は複数から形成されることができることは想像される。
【符号の説明】
【００６２】
１  ブランク
１０  折り曲げ可能に接続されたパネル
１３、１５、１７、２１、２３、２５、２７、２９、３０、３１、３３、３７、３９、４１、４３  折曲げ線
３０、４０、５０、６０  メインパネル
２０  固定パネル
３０  底部パネル
３１  開口
３２、３４  底部端部閉鎖フラップ
４０  上部パネル
４２、４４  上部端部閉鎖フラップ
５０  第１の側部壁
５２、５４  第１の側部端部フラップ
５３  第１のビーム形成パネル
５５  第２のビーム形成パネル
６０  第２の側部壁
６２、６４  第２の側壁端部フラップ
６３  第３のビーム形成パネル
６５  第４のビーム形成パネル
７２、７４  ガイド縁部
【図１】
0005593314.tif 000002
【図２】
0005593314.tif 000003
【図３】
0005593314.tif 000004
【図４】
0005593314.tif 000005
【図５Ａ】
0005593314.tif 000006
【図５Ｂ】
0005593314.tif 000007
【図６Ａ】
0005593314.tif 000008
【図６Ｂ】
0005593314.tif 000009
【図７】
0005593314.tif 000010
【図８】
0005593314.tif 000011
【図９Ａ】
0005593314.tif 000012
【図９Ｂ】
0005593314.tif 000013
【図９Ｃ】
0005593314.tif 000014
【図９Ｄ】
0005593314.tif 000015
【図９Ｅ】
0005593314.tif 000016